(57)【要約】【課題】側面衝突時の衝撃を有効に吸収でき、且つ塗装等の後工程を必要とすることなく外観品質を向上させることが可能なドアトリムの製造方法を提供する。【解決手段】ドアトリム基材の製造のための射出成形装置２０は、キャビティ２３と、このキャビティ２３にポリプロピレン樹脂を射出する第１ゲート３１と、キャビティ２３に（ポリプロピレン樹脂よりも軟らかい）オレフィン樹脂を射出する第２ゲート３２と、を備える。射出成形装置２０が備えるスライド部材４１・４２は、前記キャビティ２３内へ突出する第１の位置と、キャビティ２３から退避する第２の位置と、の間で移動可能に構成されている。そして、スライド部材４１・４２を前記第１の位置として第１ゲート３１からポリプロピレン樹脂を射出し、固化した後にスライド部材４１・４２を退避させ、ポリプロピレン樹脂に形成される凹部に前記第２ゲート３２からオレフィン樹脂を射出して固化させる。【選択図】図２
2007216851.tif 000002
【特許請求の範囲】
【請求項１】
射出成形される合成樹脂製のドアトリム基材を備え、このドアトリム基材には衝撃緩衝のための凹部を形成し、この凹部には前記ドアトリム基材の合成樹脂よりも軟らかい合成樹脂が設けられていることを特徴とする自動車用内装部品。
【請求項２】
請求項１に記載の自動車用内装部品であって、前記ドアトリム基材がポリプロピレン樹脂製であり、前記凹部に設けられる合成樹脂がオレフィン樹脂であることを特徴とする自動車用内装部品。
【請求項３】
ドアトリム基材を射出成形によって形成する工程を含む自動車用内装部品の製造方法において、
前記の工程で用いられる射出成形装置は、
前記ドアトリム基材を形成するキャビティと、
このキャビティに第１の樹脂を射出するための第１ゲートと、
前記キャビティに前記第１の樹脂よりも軟らかい第２の樹脂を射出するための第２ゲートと、
前記第２ゲートから前記キャビティ内へ突出する第１の位置と、前記キャビティから退避する第２の位置と、の間で移動可能なスライド部材と、
を少なくとも備えており、
前記の工程は、
前記スライド部材を前記第１の位置として前記第１ゲートから前記第１の樹脂を射出する工程と、
この第１の樹脂が固化した後に前記スライド部材を前記第２の位置へ移動させる工程と、
前記第２ゲートから前記第２の樹脂を射出して固化させる工程と、
を含むことを特徴とする、自動車用内装部品の製造方法。
【請求項４】
請求項３に記載の自動車用内装部品の製造方法であって、
前記スライド部材は、前記第１の位置にあるときには前記第２の樹脂を前記キャビティ内に射出する経路を閉鎖し、前記第２の位置にあるときには前記経路を開放することを特徴とする自動車用内装部品の製造方法。
【請求項５】
請求項３又は４に記載の自動車用内装部品の製造方法であって、
前記第１の樹脂がポリプロピレン樹脂であり、前記第２の樹脂がオレフィン樹脂であることを特徴とする自動車用内装部品の製造方法。
【発明の詳細な説明】
【技術分野】
【０００１】
本発明は、自動車における衝突時の乗員保護のために衝撃を吸収する構造を備える自動車用内装部品、及びそのような自動車用内装部品の製造方法に関する。
【背景技術】
【０００２】
このような自動車用内装部品としては、例えば特許文献１に開示されるものがある。この自動車用内装部品としての側突対応ドアトリムは、乗員の腰部や胸部の高さの位置に盛り上がり部を備え、この盛り上がり部の内部に衝撃吸収パッドを配置して、車両側部に加えられる衝撃から乗員を保護するように構成されている。
【特許文献１】特開平６−２７０６８３号公報（図１等）
【０００３】
また、特許文献２に開示されるドアトリムは、側面衝突に対応するためのものではないが、ドアトリムアッパーとドアトリムロアとの間に境界溝部を形成し、その境界溝部内でドアトリムアッパーとドアトリムロアとを突き当て接合する構成を開示する。特許文献２は、この構成により、接合部の接合強度を高め且つ見栄えを良好なものにできるとする。
【特許文献２】特開２００５−３２９５４４号公報（要約等）
【発明の開示】
【発明が解決しようとする課題】
【０００４】
しかし、上記特許文献１の構成は、衝撃吸収パッドを備えるスペースを確保するために盛り上がり部を必要とし、内装部品としてのドアトリムのデザインの自由度が低くなってしまっていた。
【０００５】
そこで、衝撃吸収パッドを備える代わりに例えば特許文献２のような溝部をドアトリム基材に形成して、側面からの衝撃が加わったときにはこの溝部形成部分（薄肉部）を破壊させることにより衝突時のエネルギーを吸収して乗員を保護することが考えられる。この場合、特許文献１のように凸部を形成する必要がないので、すっきりしたデザイン外観が得られ、また居住空間も確保し易いと考えられる。
【０００６】
しかしながら、前記のような薄肉部を備えるドアトリムは、成形時にヒケや艶ムラ等の外観低下を生じさせることが多い。また、ドアトリムの成形時や組付け時に当該溝部の部分が変形し易く、折曲げ白化現象により外観が低下する問題もある。成形後に塗装することで外観品質を確保することも考えられるが、この場合は製造コストや製造工数の上昇要因になってしまう。
【０００７】
本発明は以上の事情に鑑みてされたものであり、その目的は、側面衝突時の衝撃を有効に吸収でき、且つ塗装等の後工程を必要とすることなく外観品質を向上させることが可能な自動車用内装部品を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、射出成形される合成樹脂製のドアトリム基材を備え、このドアトリム基材には衝撃緩衝のための凹部を形成し、この凹部には前記ドアトリム基材の合成樹脂よりも軟らかい合成樹脂が設けられている、自動車用内装部品が提供される。
【００１０】
この構成により、衝突エネルギーを凹部で適切に吸収できるとともに、軟らかい方の合成樹脂によって凹部の変形が適度に抑制される。従って、組付け時等において凹部の変形による白化を防止できるので、塗装等の後工程を行うことなく良好な外観を実現できる。
【００１１】
前記の自動車用内装部品においては、前記ドアトリム基材がポリプロピレン樹脂であり、前記凹部に設けられる樹脂がオレフィン樹脂であることが好ましい。
【００１２】
このように、自動車用内装部品として広汎に使われるポリプロピレン樹脂をドアトリム基材に採用することで、製造コストを低減することができる。また、凹部に備えられる樹脂をオレフィン樹脂とすることで、衝突時のエネルギーを凹部の部分で適切に吸収することができる。
【００１３】
本発明の第２の観点によれば、以下のような自動車用内装部品の製造方法が提供される。即ち、ドアトリム基材を射出成形によって形成する工程を含む。この工程で用いられる射出成形装置は、前記ドアトリム基材を形成するキャビティと、このキャビティに第１の樹脂を射出するための第１ゲートと、前記キャビティに前記第１の樹脂よりも軟らかい第２の樹脂を射出するための第２ゲートと、前記第２ゲートから前記キャビティ内へ突出する第１の位置と、前記キャビティから退避する第２の位置と、の間で移動可能なスライド部材と、を少なくとも備えている。前記の工程は、前記スライド部材を前記第１の位置として前記第１ゲートから前記第１の樹脂を射出する工程と、この第１の樹脂が固化した後に前記スライド部材を前記第２の位置へ移動させる工程と、前記第２ゲートから前記第２の樹脂を射出して固化させる工程と、を含む。
【００１４】
これにより、スライド部材によって第１の樹脂に凹部を形成し、この凹部に第２の樹脂を充填することができる。従って、衝突エネルギーを第１の樹脂の凹部で適切に吸収できるとともに、第２の樹脂によって凹部の変形を適度に抑制できるドアトリム基材を得ることができる。これにより、組付け時等において凹部の変形による白化を防止できるので、塗装等の後工程を行うことなく良好な外観を実現できる。更に、スライド部材を突出させることで凹部を簡単に形成できるので、製造コスト及び製造工数を低減できる。
【００１５】
前記の自動車用内装部品の製造方法においては、前記スライド部材は、前記第１の位置にあるときには前記第２の樹脂を前記キャビティ内に射出する経路を閉鎖し、前記第２の位置にあるときには前記経路を開放することが好ましい。
【００１６】
これにより、スライド部材に前記経路の開閉弁としての役割を兼ねさせることも可能であり、射出成形装置の構成を簡素化できる。
【００１７】
前記の自動車用内装部品の製造方法においては、前記第１の樹脂がポリプロピレン樹脂であり、前記第２の樹脂がオレフィン樹脂であることが好ましい。
【００１８】
このように、自動車用内装部品で広汎に使われるポリプロピレン樹脂を第１の樹脂として採用することで、製造コストを低減することができる。また、第２の樹脂を軟質のオレフィン樹脂とすることで、衝突時のエネルギーを凹部の部分で適切に吸収することができる。
【発明を実施するための最良の形態】
【００１９】
次に、発明の実施の形態を説明する。図１は本発明の一実施形態に係るドアトリムの車室側からみた正面図、図２はドアトリム基材を成形するための射出成形装置を示す断面図である。図３から図７は、ドアトリム基材の成形工程を説明するための拡大図である。図８は製造されたドアトリムの断面図である。
【００２０】
図１に示すドアトリム（自動車用内装部品）はドアトリム基材１１を備えており、このドアトリム基材１１は、側面衝突時に乗員に与える加速度を小さくするためにドアトリム基材１１自体が破壊し、エネルギーを吸収して乗員を保護するように構成されている。具体的には、ドアトリム基材１１の上側かつ後端部の位置（乗員の上腕部に相当する位置）に弱化部１２を備え、この部分が破壊するように構成されている。
【００２１】
このドアトリム基材１１を成形（製造）するための射出成形装置が、図１のＡ−Ａ断面に相当する断面図として図２に示される。この射出成形装置２０は第１型（コア型）２１及び第２型（キャビティ型）２２を備えており、第１型２１と第２型２２との間にはキャビティ２３が形成されている。一対の型のうち第２型２２は、ドアトリム基材１１の車室側の面を成形するためのものである。一方、第１型２１は、ドアトリム基材１１の裏面を成形するためのものである。
【００２２】
第１型２１は第１ゲート３１及び第２ゲート３２を備えている。第１ゲート３１はポリプロピレン樹脂（第１の樹脂）をキャビティ２３内へ射出するためのものであり、第２ゲート３２はオレフィン樹脂（Thermo Plastic Olefin）をキャビティ２３内へ射出するためのものである。
【００２３】
図２に示すように、前記第２ゲート３２の近傍位置には第１スライド部材４１と第２スライド部材４２が備えられている。第１スライド部材４１及び第２スライド部材４２は何れも細長い形状とされ、その長手方向に摺動自在となるように第１型２１に支持される。更に、２つのスライド部材４１・４２は、図２の紙面垂直方向にも細長い形状とされている。スライド部材４１・４２は、図示しない適宜のアクチュエータ（例えば、シリンダ等）によって、それぞれスライド移動できるようになっている。
【００２４】
図２には射出成形装置２０を型閉じした状態が示され、この図２において破線で囲った部分の拡大図が図３に示される。図３に示すように、第１スライド部材４１及び第２スライド部材４２は、その先端がキャビティ２３内に若干突出した位置（第１の位置）とされている。この第１の位置において、第１スライド部材４１は第２ゲート３２の部分を閉鎖するとともに、第２ゲート３２からキャビティ２３側へ突出した位置とされる。
【００２５】
この状態で、図２に図示の第１ゲート３１からキャビティ２３内に溶融状態のポリプロピレン樹脂を射出し、冷却して固化させる。この結果、図４に示すように、ポリプロピレン樹脂５１の第１型２１側の面（前記裏面）に、前記スライド部材４１・４２の先端形状に相当する形状の凹部５３・５３が形成される。前述したようにスライド部材４１・４２は図２等の紙面垂直方向に細長い形状とされているので、ポリプロピレン樹脂５１に形成される凹部５３・５３も細長い溝状となる。
【００２６】
次に図５に示すように、２つのスライド部材４１・４２をキャビティ２３から退避させるように移動させ、第２の位置とする。このとき、第１スライド部材４１は第２スライド部材４２よりも退避距離を大きくし、前記第２ゲート３２を開放させるようにする。続いて、図６に示すように第２ゲート３２を通じて前記凹部５３に前記オレフィン樹脂を射出する。なお、２つの凹部５３・５３は互いに図略の凹溝を介して連通しているので、第２ゲート３２に接続していない図５の下側の凹部５３に対してもオレフィン樹脂は適切に供給される。
【００２７】
そして、前記オレフィン樹脂を冷却・固化させると、図７に示すように、それぞれの凹部５３にオレフィン樹脂５２が充填された形になる。この状態から型開きして成形品を取り出し、余分なオレフィン樹脂５２を除去した様子が図８に示される。こうして、ポリプロピレン樹脂５１に形成される凹部５３にオレフィン樹脂５２を設けた構成のドアトリム基材１１を得ることができる。
【００２８】
このドアトリム基材１１において、凹部５３に備えたオレフィン樹脂５２はポリプロピレン樹脂５１よりも軟らかいため、構造的な弱化部１２となっている。従って、側面衝突時のエネルギーを、前記弱化部１２が破壊することで吸収することができる。また、凹部５３にはオレフィン樹脂５２が充填されているため適度な強度を発揮し、上記の成形時や組付け時において凹部５３の部分が意図に反して変形することはない。従って、成形時や組付け時における白化現象を抑制して、塗装なしで良好な外観を実現することができる。
【００２９】
以上に示すように、本実施形態のドアトリム基材１１は、衝撃緩衝のための凹部５３を形成するとともに、この凹部５３には、前記ドアトリム基材１１を構成するポリプロピレン樹脂５１よりも軟らかいオレフィン樹脂５２が設けられている。
【００３０】
従って、このドアトリム基材１１を備えるドアトリムは、衝突エネルギーを凹部５３で適切に吸収できるとともに、塗装なしで良好な外観を実現できる。
【００３１】
また、本実施形態では、前記ドアトリム基材１１がポリプロピレン樹脂５１製であり、凹部５３に設けられる合成樹脂がオレフィン樹脂５２である。
【００３２】
このように、自動車用内装部品で広汎に使われるポリプロピレン樹脂５１をドアトリム基材１１の素材として採用することで、製造コストを低減することができる。また、凹部５３にはオレフィン樹脂５２を設けることで、衝突時のエネルギーを凹部５３で適切に吸収させることができる。
【００３３】
また、本実施形態のドアトリム基材１１を射出成形によって形成する射出成形装置２０は、図２に示すように、前記ドアトリム基材１１を形成するキャビティ２３と、このキャビティ２３にポリプロピレン樹脂５１を射出するための第１ゲート３１と、前記キャビティ２３に前記ポリプロピレン樹脂５１よりも軟らかいオレフィン樹脂５２を射出するための第２ゲート３２と、を備えている。更に射出成形装置２０は第１スライド部材４１を備え、このスライド部材４１は、前記第２ゲート３２から前記キャビティ２３内へ突出する第１の位置（図３）と、前記キャビティから退避する第２の位置（図５）と、の間で移動可能に構成されている。そして、射出成形のための工程は、第１スライド部材４１を前記第１の位置として前記第１ゲート３１からポリプロピレン樹脂５１を射出・成形する工程（図４）と、ポリプロピレン樹脂５１が固化した後に第１スライド部材４１を前記第２の位置へ移動させる工程（図５）と、前記第２ゲート３２からオレフィン樹脂５２を射出して固化させる工程（図６、図７）と、を含む。
【００３４】
これにより、簡単な方法でポリプロピレン樹脂５１に凹部５３を形成し、当該凹部５３にオレフィン樹脂５２を充填することができる。従って、ドアトリム基材１１及び自動車用内装部品の製造コスト及び製造工数を低減できる。
【００３５】
更に、本実施形態において第１スライド部材４１は、前記第１の位置にあるときには前記ポリプロピレン樹脂５１を前記キャビティ２３内に射出する経路（第２ゲート３２の部分）を図３のように閉鎖する一方、前記第２の位置にあるときには図６のように前記経路を開放するように構成されている。
【００３６】
これにより、第１スライド部材４１に開閉弁としての役割を持たせることも可能になるので、射出成形装置２０の構成を簡素化することができる。
【００３７】
以上に本実施形態の好適な実施形態を説明したが、上記の構成は一例であって、例えば以下のように変更することができる。
【００３８】
例えば図９のドアトリム基材１１’に示すように、ポリプロピレン樹脂５１の裏面全体をオレフィン樹脂５２で覆うように変更することができる。この構成を実現するには、図５の工程と図６の工程の間に、第１型２１をキャビティ２３から若干退避させる工程（コアバック工程）を行えば良い。
【００３９】
弱化部１２は図１に図示の位置に限定されず、任意の位置に配置することができる。また、目立たない位置であれば、裏面側ではなく車室側の面に凹部５３及びオレフィン樹脂５２（弱化部１２）を配置することも可能である。更に、凹部５３の形状や数についても、任意の形状や数に変更することができる。
【００４０】
第１の樹脂及び第２の樹脂としては、ポリプロピレン樹脂５１及びオレフィン樹脂５２を用いることに代えて、適宜の合成樹脂を採用することができる。ただし、第２の樹脂が第１の樹脂よりも軟らかいことが必要である。
【００４１】
第１スライド部材４１や第２スライド部材４２には、成形完了後に成形品を型面から外す突出しピンとしての役割を兼ねさせることができる。
【図面の簡単な説明】
【００４２】
【図１】本発明の一実施形態に係るドアトリムの車室側からみた正面図。
【図２】ドアトリム基材を成形するための射出成形装置を示す断面図。
【図３】図２の破線で囲った部分の拡大図。
【図４】図３の状態から溶融状態のポリプロピレン樹脂をキャビティ内に供給して冷却固化させた状態を示す図。
【図５】図４の状態からスライド部材を退避させた様子を示す図。
【図６】図５の状態でオレフィン樹脂を凹部内に供給した状態を示す図。
【図７】図６の状態からオレフィン樹脂を硬化させた状態を示す図。
【図８】製造されたドアトリム基材の断面図。
【図９】ドアトリム基材の変形例を示す断面図。
【符号の説明】
【００４３】
１１  ドアトリム基材
１２  弱化部
２０  射出成形装置
２１  第１型
２２  第２型
２３  キャビティ
３１  第１ゲート
３２  第２ゲート
４１  第１スライド部材
４２  第２スライド部材
５１  ポリプロピレン樹脂（第１の樹脂）
５２  オレフィン樹脂（第２の樹脂）
５３  凹部
【図１】
2007216851.tif 000003
【図２】
2007216851.tif 000004
【図３】
2007216851.tif 000005
【図４】
2007216851.tif 000006
【図５】
2007216851.tif 000007
【図６】
2007216851.tif 000008
【図７】
2007216851.tif 000009
【図８】
2007216851.tif 000010
【図９】
2007216851.tif 000011